(57)【要約】      （修正有）【課題】化粧筆としての本来の機能を十分に奏するとともに、需用者の趣味感を満たす、意匠性に富んだブラシ本体及びブラシを提供する。【解決手段】ブラシ本体１０は、中空の筒部１５と、筒部１５内の空間を軸方向に仕切る仕切板１６と、筒部１５と仕切板１６とにより根元部分が保持された筆毛１２と、を有してなる。仕切板は、その中心部分の円筒部１６ａと、その円筒部１６ａから放射状に広がる円弧部１６ｂから形成される形態を有している。このような仕切板１６の形態により、筆毛１２の先端部に模様が形成される。すなわち、仕切板１６の円筒部１６ａにより、筆毛１２から形成される毛束の中心に表れた円形模様が形成され、円弧部１６ｂにより円形模様を取り囲む周辺部模様が形成される。そして、上記ブラシ本体１０をキャップ又は柄に固着させ、化粧筆、洗顔ブラシ、ネイルブラシ、あるいはエステブラシとしてに使用できるブラシを構成する。【選択図】図２
0003159433.tif 000002
【実用新案登録請求の範囲】
【請求項１】
中空の筒部と、該筒部内の空間を軸方向に仕切る仕切板と、前記筒部と前記仕切板とにより根元部分が保持された筆毛と、を有してなるブラシ本体。
【請求項２】
仕切板は、筒部と同心円状の円筒部を有することを特徴とする請求項１に記載のブラシ本体。
【請求項３】
請求項１又は２に記載のブラシ本体をキャップ又は柄に固着させてなるブラシ。
【考案の詳細な説明】
【技術分野】
【０００１】
本考案は、筆毛の先端部に模様が表れたブラシ本体及びブラシに係り、特に、化粧用ブラシ、洗顔ブラシ、ネイルブラシ、あるいはエステブラシに好適に使用することができるブラシ本体及びブラシに関する。
【背景技術】
【０００２】
化粧用ブラシは、化粧道具の重要なものの一つであり、需用者の満足感を満たす機能が求められている。そのような機能に優れた化粧用ブラシは、世界的な名声を博しているものがある。しかしながら、近年、需用者の嗜好の多様化が進み、趣味性、意匠性に富む化粧用ブラシ、特に筆毛部分に模様が表れた趣味性、意匠性に富む化粧用ブラシが提案されている。
【０００３】
例えば、特許文献１に、化粧用ブラシにおいて、柄に使用される本体と、前記本体の一側に取付けられるものの、相異する色相又は材質を有して配列されることにより、図形、記号、文字等の模様を有するか又は部分的に別の性質を有するようにする多数のブラシを含む化粧用ブラシが提案されている。
【０００４】
特許文献２に、筒状をなす筒軸と、該筒軸に差込んで取付けられる筆毛よりなる化粧用ブラシにおいて、筒軸より突出する筆毛毛先のブラシ面に一部の毛の突出又は凹みによって文字や模様等よりなる立体模様を形成したことを特徴とする化粧用ブラシが提案されている。
【先行技術文献】
【特許文献】
【０００５】
【特許文献１】特開２００８−１６８１０８号公報
【特許文献２】登録実用新案第３１３１４０３号公報
【考案の概要】
【考案が解決しようとする課題】
【０００６】
しかし、特許文献１又は２に提案されているような化粧用ブラシは、趣味性、意匠性に富むものではあるが、化粧用ブラシとしての本来の機能を犠牲にしている面があり、必ずしも広く利用されるものになっていないという問題がある。
【０００７】
本考案は、かかる従来の問題点に鑑み、化粧用ブラシとして化粧用パウダーを顔に均一に乗せることができ、また、洗顔ブラシ、ネイルブラシ又はエステブラシとしても使用することができて本来の機能を十分に奏することができるとともに、需用者の趣味感を満たし意匠性に富んだブラシ本体及びブラシを提供することを目的とする。
【課題を解決するための手段】
【０００８】
本考案に係るブラシ本体は、中空の筒部と、該筒部内の空間を軸方向に仕切る仕切板と、前記筒部と前記仕切板とにより根元部分が保持された筆毛と、を有してなる。
【０００９】
上記考案において、仕切板は、筒部と同心円状の円筒部を有するのがよい。
【００１０】
上記ブラシ本体にキャップ又は柄を固着させ、取り扱い容易なブラシを構成することができる。
【考案の効果】
【００１１】
本考案に係るブラシ本体は、化粧用ブラシとしての本来の機能を奏するとともに、趣味性、意匠性に富み、その機能性と意匠性の多様な組合せの化粧用ブラシ、洗顔ブラシ、ネイルブラシ、あるいはエステブラシを構成することができる。このため、本考案により、年齢的又は嗜好的にも幅広い層の需用者に受け入れられる化粧用ブラシ、洗顔ブラシ、ネイルブラシ、あるいはエステブラシを提供することができる。
【図面の簡単な説明】
【００１２】
【図１】本考案に係るブラシ本体の構成を示す図面である。
【図２】図１に示すブラシ本体の底面図である。
【図３】図１に示すブラシ本体のA-A断面図である。
【図４】図１に示すブラシ本体を用いて構成されたブラシを示す図面である。
【考案を実施するための形態】
【００１３】
以下、考案を実施するための形態について、図面を基に説明する。図１から図３は、本考案に係るブラシ本体の構成を示す図面である。図１及び図２に示すように、本ブラシ本体10は、筆毛12と、筒部15と、仕切板16を有している。そして、本ブラシ本体10は、図１に示すように、平面視において模様が立体的に表れている。なお、本例のブラシ本体10は、特に化粧用ブラシに用いるのに適している。
【００１４】
筆毛12は、公知の獣毛や人造毛を使用することができる。また、筆毛12が形成する毛束のボリューム感やしなり感を出すために獣毛と人造毛を適度に混毛することができる。
【００１５】
筒部15は、中空になっており、円筒状のものを使用することができる。筒部15は、中空円筒状のものに限らないが、中空円筒状のものが筆毛による立体的模様を構成しやすいという利点がある。また、筒部15は、金属製又は樹脂製とすることができ、例えば、アルミニウム製とすることができる。
【００１６】
仕切板16は、筒部15の内部の空間を軸方向に仕切っており、この仕切板16と筒部15とから形成された仕切り空間内に筆毛12の根元部分が差し込まれ、当該根元部分が仕切板16と筒部15とにより保持されるようになっている。仕切板16は、例えば、樹脂製の板を使用することができ、その厚さは0.1〜0.5mmとすることができる。
【００１７】
仕切板16により、筆毛12が区分された毛束群を形成し、これにより筆毛12の先端部に模様が表れる。この模様を明確に表すには、仕切板16の高さは、図３に示すように、筒部15の高さと同等以上であるのがよい。この仕切板16が筒部15から突出する高さは、毛束Xの高さ（毛丈）や外形にもよるが、例えば、毛束Xの毛丈が4cm、根本部外形が2.5cm、先端部外形が5cmである場合は、0〜15mmとすることができる。
【００１８】
上述のように筆毛12の根元部分は、筒部15と仕切板16とにより保持されている。この根元部分の筆毛12は、接着剤により一体に固着されるとともに、筒部15及び仕切板16に固着されている。接着剤により一体に固着された筆毛部分（図３に示す毛束Y）は、筆毛間に接着剤を浸透させることにより接着されている。この接着剤を浸透させる毛束Y部分は、ほぼ筒部15の高さと同等程度にするのがよい。
【００１９】
また、仕切板16は、図２に示すように、筒部15と同心円状の円筒部16aを有するように形成されているのがよい。化粧用ブラシにおいて、一般的には、筆毛が一定の密度で真円状に形成されたものが化粧用ブラシとして本来の高い機能を有する。このため、筆毛の先端部に形成させる模様の形態によって一概には言えないが、円筒部16aの外径を調整することにより、化粧用ブラシの本来の機能の確保と意匠効果を調整することができ、需用者の好みにあった化粧用ブラシを構成することができる。
【００２０】
図２に示す仕切板16は、その中心部分の円筒部16aと、その円筒部16aから放射状に広がる円弧部16bから形成される形態を有している。このような仕切板16の形態により、筆毛12の先端部に図１に示す模様が形成される。すなわち、仕切板16の円筒部16aにより、筆毛12から形成される毛束Xの中心に表れた円形模様Cが形成され、円弧部16bにより円形模様Cを取り囲む周辺部模様Pが形成される。
【００２１】
このように、本考案に係るブラシ本体10は、筆毛12の先端部に模様が表れたものであり、この模様を形成させる上で仕切板16が重要な役割を果たしている。すなわち、仕切板16は筆毛12を毛束群に仕切り、毛束群の形態によってブラシ本体10の筆毛12の先端部に模様を表している。つまり、本考案に係るブラシ本体10は、筆毛12と、その根元部分を保持する筒部15とを有するブラシ本体10において、筆毛12が形成する毛束Xの横断面内に筆毛12の疎な部分を形成させることにより、筆毛12の先端部に模様を形成させているものである。
【００２２】
上述のように、本考案に係るブラシ本体10の筆毛12の先端部に表れる模様は、筆毛12が形成する毛束Xの横断面内に筆毛12の疎な部分を形成させることにより創出されるものである。従って、本考案に係るブラシ本体10においては、筆毛12の先端部に模様を形成させるために筆毛12の先端部に凹凸を設けなくてもよく、凹凸を設けることによる化粧用ブラシとしての本来の機能が損なわれるのを抑制することができる。
【００２３】
しかしながら、本考案に係るブラシ本体10において、筆毛12の先端部に凹凸を設け、筆毛12の先端部に立体的な模様を形成させることはできる。この場合、筆毛12の先端部に凹凸を設ける部分は、筆毛12が形成する毛束Xの周辺部（図１の周辺部模様Pが形成される部分）に凹凸を設けるのがよい。これにより、化粧用ブラシとしての本来の機能が損なわれるのを抑制することができるとともに、筆毛12の先端部に立体的模様を形成させることができる。
【００２４】
本ブラシ本体10は、仕切板16の形態により筆毛12の先端部に種々の形態の模様を創出することができる。また、本ブラシ本体10は、筆毛12の先端部の模様の創出において、特にブラシ本体10のサイズや形状による影響を受けない。従って、本考案に係るブラシ本体は、洗顔ブラシ、ネイルブラシ、あるいはエステブラシに用いられるブラシ本体としても好適に使用することができる。
【００２５】
このようなブラシ本体10を用いて、図４に示すブラシを構成することができる。図４（ａ）に示すブラシ100は、上記ブラシ本体10の筒部15にキャップ20を被せたものであり、図４（ｂ）に示すブラシ101は、上記ブラシ本体10に柄21を固着させたものである。
【符号の説明】
【００２６】
10    ブラシ本体
12    筆毛
15    筒部
16    仕切板
20    キャップ
21    柄
100、101    ブラシ
【図１】
0003159433.tif 000003
【図２】
0003159433.tif 000004
【図３】
0003159433.tif 000005
【図４】
0003159433.tif 000006